(57)【要約】【課題】  通信の信頼性を高める。【解決手段】  中継装置において、アナログ通信装置収容インタフェース部と、プロトコル変換部と、加入電話網がアナログ通信装置に提供する所定の機能群を中継装置内から提供する内部加入者回路部と、通常状態では、アナログ通信装置収容インタフェース部を内部加入者回路部に接続し、非常状態では、アナログ通信装置収容インタフェース部を直接、加入電話網インタフェース部に接続して、機能群を加入電話網上の加入者回路から提供させる第１の接続切替部と、非常状態から通常状態に切り替えるとき、アナログ通信装置収容インタフェース部の信号を監視し、監視結果に応じて、内部加入者回路部のアナログ通信装置収容インタフェース部に対する物理的な接続関係を切り替える第２の接続切替部とを備える。【選択図】  図１
2006279674.tif 000002
【特許請求の範囲】
【請求項１】
加入電話網に接続する加入電話網インタフェース部を備え、当該加入電話網インタフェース部を介した加入電話網上の通信装置との通信、および当該加入電話網インタフェース部を介し、加入電話網をアクセス回線として使用して、所定のプロトコル通信網上の通信装置との通信を実現する中継装置において、
前記加入電話網上の通信に対応したアナログ通信装置を収容するためのアナログ通信装置収容インタフェース部と、
当該アナログ通信装置に、前記プロトコル通信網上の通信を行わせるためのプロトコル変換部と、
前記加入電話網がアナログ通信装置に提供する所定の機能群を当該中継装置内から提供する内部加入者回路部と、
通常状態では、前記アナログ通信装置収容インタフェース部を当該内部加入者回路部に接続し、非常状態では、当該アナログ通信装置収容インタフェース部を直接、前記加入電話網インタフェース部に接続して、前記機能群を加入電話網上の加入者回路から提供させる第１の接続切替部と、
前記非常状態から通常状態に切り替えるとき、前記アナログ通信装置収容インタフェース部の信号を監視し、監視結果に応じて、前記内部加入者回路部のアナログ通信装置収容インタフェース部に対する物理的な接続関係を切り替える第２の接続切替部とを備えたことを特徴とする中継装置。
【請求項２】
加入電話網に接続する加入電話網インタフェース部を備え、当該加入電話網インタフェース部を介した加入電話網上の通信装置との通信、および当該加入電話網インタフェース部を介し、加入電話網をアクセス回線として使用して、所定のプロトコル通信網上の通信装置との通信を実現する中継方法において、
アナログ通信装置収容インタフェース部が、前記加入電話網上の通信に対応したアナログ通信装置を収容し、
プロトコル変換部が、当該アナログ通信装置に、前記プロトコル通信網上の通信を行わせ、
内部加入者回路部が、前記加入電話網がアナログ通信装置に提供する所定の機能群を提供し、
第１の接続切替部が、通常状態では、前記アナログ通信装置収容インタフェース部を当該内部加入者回路部に接続し、非常状態では、当該アナログ通信装置収容インタフェース部を直接、前記加入電話網インタフェース部に接続して、前記機能群を加入電話網上の加入者回路から提供させ、
第２の接続切替部が、前記非常状態から通常状態に切り替えるとき、前記アナログ通信装置収容インタフェース部の信号を監視し、監視結果に応じて、前記内部加入者回路部のアナログ通信装置収容インタフェース部に対する物理的な接続関係を切り替えることを特徴とする中継方法。
【発明の詳細な説明】
【技術分野】
【０００１】
本発明は中継装置および方法に関し、例えば、ＶｏＩＰゲートウエイ機能を内蔵して、ＡＤＳＬ回線をアクセス回線とすることでＩＰ電話の機能を実現するＡＤＳＬモデムなどに適用して好適なものである。
【背景技術】
【０００２】
従来、ＡＤＳＬ回線を利用するＡＤＳＬモデム製品は、ＶｏＩＰゲートウエイ機能を内蔵することによって、ＶｏＩＰ非対応の一般電話機でＶｏＩＰ通信を行うことを可能としている。
【０００３】
図２に示すＶｏＩＰ通信システム１０において、ＡＤＳＬモデム製品はゲートウエイ装置１７にあたる。当該ゲートウエイ装置１７は、狭義のＡＤＳＬモデム１９と、スプリッタ２０と、ＶｏＩＰゲートウエイ２１とを備えている。
【０００４】
当該ゲートウエイ装置１７は、家庭側では、電話機インタフェースに一般電話機１８を収容し、外部側では、公衆アナログ回線（加入者線）１３を接続している。一般電話機１８とゲートウエイ装置１７のあいだは、加入者線１３と同様な２本の信号線を持つケーブル１４で接続されている。
【０００５】
加入者線１３と公衆電話網（加入電話網）１１上のＤＳＬＡＭ（例えば、１５）を介して、前記ゲートウエイ装置１７はインターネット１２に接続されているため、インターネット１２側に配置される図示しない電話機（ＩＰ電話機または当該ゲートウエイ装置１７と同様なゲートウエイ装置に収容された一般電話機）と、ＶｏＩＰ通信を行うことができる。
【０００６】
このゲートウエイ装置１７は、リレーを備えていて、通常状態では、ゲートウエイ装置１７内に搭載したＳＬＩＣチップ（内部ＳＬＩＣチップ）に一般電話機１８を接続させて加入電話網上のＳＬＩＣ（加入者回路）と同様な機能（いわゆるＢＯＲＳＣＨＴ機能）を一般電話機に提供するとともに、ＶｏＩＰゲートウエイ２１やＡＤＳＬモデム１９を利用したＶｏＩＰ通信を可能にするが、停電によってＶｏＩＰゲートウエイ２１（内部ＳＬＩＣチップを含む）や、ＡＤＳＬモデム１９に電力を供給できないときや、一般電話機１８から緊急通報（例えば、１１０番、１１９番などへの発信）を行おうとした場合には、一般電話機１８を物理的に加入者線１３に直結させている。
【発明の開示】
【発明が解決しようとする課題】
【０００７】
ところで、通常の加入者線１３は次の２本の信号（２本の信号線）、すなわちＴＩＰ信号とＲＩＮＧ信号によって構成されている。
【０００８】
ＴＩＰ信号    ：ノーマル時は地気電位（電位は０Ｖ）
ＲＩＮＧ信号  ：ノーマル時は電池（電位は−４８Ｖ）
この２本の信号線を用いて通信用の直流電源を電話機に供給することもできるため、前記停電などの場合でも、一般電話機１８を加入者線１３に直結すれば一般電話機１８の使用は可能となる。
【０００９】
これら２本の信号線を用いた加入電話網からの発着信時の動作、すなわち端末（一般電話機）の状態と網の動作の関係をまとめると図４に示す通りとなる。
【００１０】
すなわち、端末が空き状態のとき、網は端末の状態を監視し（Ｓ１）、発呼するために発信側端末がオフフック（ループ閉成）した場合（Ｓ２）には、網がそのオフフックを検出してダイヤル操作を促すために発信音を送出する（Ｓ３）。つづいて発信側端末が着信先の電話番号を指定するためにダイヤルされて選択信号が送出されると（Ｓ４）、網はその選択信号を受信し（Ｓ５）、その選択信号に応じたパス接続処理を行う（Ｓ６）。このあと、その着信先電話番号に対応する着信側端末には、呼び出し信号が供給されてベルが鳴動（このとき、着信側ではＴＩＰ信号とＲＩＮＧ信号の極性が反転する）し（Ｓ７，Ｓ８）、発信側端末には呼び出し中であることを示す呼出音が供給される（Ｓ９）。ベルの鳴動に応えて着信側端末がオフフックされると（Ｓ１０）、着信側ではループが閉成されるとともに呼び出し信号の供給が停止されてＴＩＰ信号とＲＩＮＧ信号の極性が復極され（Ｓ１１）、発信側では呼出音の供給が停止され、極性が反転される（Ｓ１２）。この時点から通話状態となり課金が始まる。
【００１１】
ところが、前記一般電話機１８が、ゲートウエイ装置１７を経由せずに加入電話網１１に接続される場合、図３に示すような接続関係となる。ＲＪ１１コネクタは６つのピンを持つコネクタであるが、そのうち使われるのは、３ピンと４ピンのみである。
【００１２】
前記加入者線１３を構成する２本の信号線１３Ａ、１３Ｂのうち、ここでは、１３Ａが前記ＴＩＰ信号に対応し、１３Ｂが前記ＲＩＮＧ信号に対応するものとする。接続関係は、信号線１３Ａ、１３Ｂが、それぞれローゼット２５のＲＪ１１コネクタＣＴ１の３ピンと４ピンに接続され、この３ピンと４ピンがケーブル１４を介して一般電話機１８のＲＪ１１コネクタＣＴ２の３ピンと４ピンに接続される。図３の例では、信号線（ＴＩＰ信号とする）１３Ａが３ピンに、信号線（ＲＩＮＧ信号とする）１３Ｂが４ピンに接続されている。
【００１３】
しかしながら、ＴＩＰ信号とＲＩＮＧ信号のいずれを３ピンに接続し、いずれを４ピンに接続するかに関しては規定がないため、実際には、配線工事などの状況によりＴＩＰ信号が４ピンに接続され、ＲＩＮＧ信号が３ピンに接続される可能性もある。また、ケーブル１４の種類（例えば、ストレートケーブルであるか、クロスケーブルであるか）によっても、一般電話機１８側のコネクタＣＴ２の３ピンと４ピンのいずれに、ＴＩＰ信号、ＲＩＮＧ信号のいずれが接続されるかは変わってくる。
【００１４】
なお、図２上では省略していたが、前記ゲートウエイ装置１７と加入者線１３のあいだにも図３と同様なローゼット２５が介在し、このローゼットに一般電話機（例えば、ＦＡＸ電話機など）１８を収容したゲートウエイ装置１７を接続するときに図３の問題に起因した一種の誤動作が発生し得る。
【００１５】
これは、停電や緊急通報などのためにゲートウエイ装置１７が一般電話機１８を加入者線１３に直結させた状態から、前記通常状態に復帰した場合、前記内部ＳＬＩＣチップが、図５（Ｂ）に示すように、前記ケーブル１４すなわち電話機インタフェース側に１回だけ極性反転の信号ＲＢ２を出力する場合である。
【００１６】
図５（Ｂ）は、内部ＳＬＩＣチップからの出力のピン収容（３ピンと４ピンのいずれにＴＩＰ信号を供給するか等）と、加入電話網上のＳＬＩＣのピン収容が一致していない場合にあたる。これらのピン収容が一致していれば、呼び出し信号が供給されたときにのみ、ＴＩＰ信号とＲＩＮＧ信号の極性が反転される。これは、図４で着信側の端末に呼び出し信号が供給されたとき（Ｓ８）と同じである。
【００１７】
前記一般電話機１８はファクシミリ機能を備えたＦＡＸ電話機であってもよいが、最近のＦＡＸ電話機等は、前記極性反転信号ＲＢ２に反応して、着信していないにもかかわらず、ディスプレイ表示に、「受信中」や「着信」などと表示したり、受信モードになることがある。これは、誤動作の一種とみることができ、通信の信頼性が低いといえる。
【００１８】
ピン収容が一致している場合には、図５（Ａ）に示すように、通常状態に復帰した直後に極性が反転することがないが、従来のゲートウエイ装置１７では、このようなピン収容の一致を保証することができず、通信の信頼性が低い。
【課題を解決するための手段】
【００１９】
かかる課題を解決するために、第１の本発明では、加入電話網に接続する加入電話網インタフェース部を備え、当該加入電話網インタフェース部を介した加入電話網上の通信装置との通信、および当該加入電話網インタフェース部を介し、加入電話網をアクセス回線として使用して、所定のプロトコル通信網上の通信装置との通信を実現する中継装置において、（１）前記加入電話網上の通信に対応したアナログ通信装置を収容するためのアナログ通信装置収容インタフェース部と、（２）当該アナログ通信装置に、前記プロトコル通信網上の通信を行わせるためのプロトコル変換部と、（３）前記加入電話網がアナログ通信装置に提供する所定の機能群を当該中継装置内から提供する内部加入者回路部と、（４）通常状態では、前記アナログ通信装置収容インタフェース部を当該内部加入者回路部に接続し、非常状態では、当該アナログ通信装置収容インタフェース部を直接、前記加入電話網インタフェース部に接続して、前記機能群を加入電話網上の加入者回路から提供させる第１の接続切替部と、（５）前記非常状態から通常状態に切り替えるとき、前記アナログ通信装置収容インタフェース部の信号を監視し、監視結果に応じて、前記内部加入者回路部のアナログ通信装置収容インタフェース部に対する物理的な接続関係を切り替える第２の接続切替部とを備えたことを特徴とする。
【００２０】
また、第２の本発明では、入電話網に接続する加入電話網インタフェース部を備え、当該加入電話網インタフェース部を介した加入電話網上の通信装置との通信、および当該加入電話網インタフェース部を介し、加入電話網をアクセス回線として使用して、所定のプロトコル通信網上の通信装置との通信を実現する中継方法において、（１）アナログ通信装置収容インタフェース部が、前記加入電話網上の通信に対応したアナログ通信装置を収容し、（２）プロトコル変換部が、当該アナログ通信装置に、前記プロトコル通信網上の通信を行わせ、（３）内部加入者回路部が、前記加入電話網がアナログ通信装置に提供する所定の機能群を提供し、（４）第１の接続切替部が、通常状態では、前記アナログ通信装置収容インタフェース部を当該内部加入者回路部に接続し、非常状態では、当該アナログ通信装置収容インタフェース部を直接、前記加入電話網インタフェース部に接続して、前記機能群を加入電話網上の加入者回路から提供させ、（５）第２の接続切替部が、前記非常状態から通常状態に切り替えるとき、前記アナログ通信装置収容インタフェース部の信号を監視し、監視結果に応じて、前記内部加入者回路部のアナログ通信装置収容インタフェース部に対する物理的な接続関係を切り替えることを特徴とする。
【発明の効果】
【００２１】
本発明によれば、通信の信頼性を高めることができる。
【発明を実施するための最良の形態】
【００２２】
（Ａ）実施形態
以下、本発明にかかる中継装置および方法を、ＶｏＩＰ通信のためのゲートウエイ装置に適用した場合を例に、実施形態について説明する。
【００２３】
（Ａ−１）実施形態の構成
本実施形態にかかるゲートウエイ装置３０の主要部の構成例を図１に示す。このゲートウエイ装置３０は図２に示したゲートウエイ装置１７に対応する通信装置である。したがって、加入者線１３に接続される点や、一般電話機１８を収容する点、ＶｏＩＰゲートウエイ機能を備えたＡＤＳＬモデム製品であってよい点など、図２と同じである。ただし、図１上では、図２に図示していたスプリッタ２０や狭義のＡＤＳＬモデム１９などに相当する構成要素を省略している。また、ＶｏＩＰゲートウエイが搭載する必要のあるＩＰプロトコルを処理するためのモジュールや、呼制御部なども図示していない。
【００２４】
図１において、当該ゲートウエイ装置３０は、ラインポート３１と、ＯＶＰ部３２，４１と、給電極性検出部３３と、ＬｏｏｐＧＥＮ部３４と、ＨＹＢＴＲＮＳ部３５と、ＣＯＤＥＣ部３６と、リレー３７〜３９と、電話ポート４０と、内部ＳＬＩＣ部４２とを備えている。
【００２５】
このうちラインポート３１は、ＲＪ１１コネクタを持つポートで、前記加入者線１３が接続される。
【００２６】
また、電話ポート４０も、ＲＪ１１コネクタを持つポートで、前記ケーブル１４を介して一般電話機１８（ここでは、ＦＡＸ電話機であるものとする）が接続される。ここで、当該ＦＡＸ電話機１８は、ユーザＵ１によって利用される。
【００２７】
ＯＶＰ部３２は、過電圧保護機能を持つ部分である。例えば、雷サージなど、加入者線１３などを介して外部から入ってくる高電圧は、当該ＯＶＰ部３２で阻止される。電話ポート４０側に配置されたＯＶＰ部４１は、当該ＯＶＰ部３２に対応するものである。
【００２８】
ＬｏｏｐＧＥＮ部３４は、当該ゲートウエイ装置３０から加入電話網１１に発信する際にループを形成するための回路である。このループの形成は、当該ゲートウエイ装置３０のＣＰＵ（中央処理装置）からＬｏｏｐ信号を受けることによって実行される。ダイヤル信号であるＤＰ信号を出力する際にも当該ＬｏｏｐＧＥＮ部３４が使用される。
【００２９】
ＨＹＢＴＲＮＳ部３５は、アナログ公衆回線回路（ＣＯ回路）における直流をカットするためのトランスである。ここで、ＣＯ回路とは、図１のうち構成要素３１〜３６によって構成される部分に該当する。
【００３０】
ＣＯＤＥＣ部３６は、ＰＣＭ技術などを利用して音声信号の符号化および復号化を実行する部分である。ゲートウエイ装置３０から前記ユーザＵ１が発話した音声を示す情報などを送信するときには、その情報の符号化結果である符号化音声データが当該ＣＯＤＥＣ部３６で生成され、反対に、ユーザＵ１の通話相手が発話した音声を示す情報などを受信するときには、当該ＣＯＤＥＣ部３６により、その情報に対応する符号化音声データが復号化されてアナログの音声情報が生成される。
【００３１】
給電極性検出部３３は、前記加入者線１３内の２本の信号線について、給電電圧の監視や極性の監視を行う部分で、本実施形態に特徴的な構成要素である。監視結果は、ＲＥＶ信号、ＮＯＲ信号を使って当該ゲートウエイ装置３０のＣＰＵに通知される。ＲＥＶ信号のほうが、上述したピン収容が一致しないケースに対応し、ＮＯＲ信号のほうが一致するケースに対応するものと決めてもよい。ピン収容が一致するか否かは、内部ＳＬＩＣ部４２の２つの信号のうちいずれがＲＩＮＧ信号で、いずれがＴＩＰ信号であるか等の条件に応じて決まる。
【００３２】
これにより給電極性検出部３３は、例えば、前記加入者線１３の２本の信号線のうち３ピンに接続されたほうがＴＩＰ信号であれば、ＣＰＵにＮＯＲ信号を通知し、４ピンに接続されたほうがＴＩＰ信号であれば、ＲＥＶ信号を通知する等の機能を持つことになる。
【００３３】
内部ＳＬＩＣ部４２は、上述した内部ＳＬＩＣチップに対応する部分である。
【００３４】
なお、内部ＳＬＩＣ部４２においては、図４に示した各端末状態および各網動作ごとに、２つの信号線のうちいずれがＴＩＰ信号となり、いずれがＲＩＮＧ信号となるかは、そのハードウエア構成上、固定的に決まっている。このため、内部ＳＬＩＣ部４２として通常のＳＬＩＣチップを用いる限り、例えば、ＣＰＵからの制御に応じて、ＴＩＰ信号とＲＩＮＧ信号を入れ替えることは難しい。
【００３５】
３つのリレー３７〜３９は、当該ゲートウエイ装置３０のＣＰＵから供給される制御信号に応じて図１に示した回路の接続関係を切り替えるためのリレーである。
【００３６】
このうちリレー３７は加入電話網１１に発信する際に接続関係を切り替えるための汎用リレーである。ＣＰＵから制御信号（ＲＬ  ＣＯ信号）の供給を受けると、このリレー３７が動作する。
【００３７】
リレー３８は、上述したように、ＦＡＸ電話機１８を加入者線１３に直結させるか否かを決めるためのリレーである。当該リレー３８は、ＣＰＵから制御信号（ＥＭＧ信号）の供給を受けると動作する。直結時には、電話ポート４０側のＦＡＸ電話機１８と内部ＳＬＩＣ部４２との接続が断たれ、ＦＡＸ電話機１８はラインポート３１や加入者線１３を経由して加入電話網１１のＳＬＩＣに直結されるようになる。したがって、直結時において、前記ＦＡＸ電話機１８は、内部ＳＬＩＣ部４２ではなく、加入電話網１１のＳＬＩＣが提供する前記ＢＯＲＳＣＨＴ機能を利用する。
【００３８】
リレー３９は、前記通常状態に復帰したときに、もし必要ならば、内部ＳＬＩＣ部４２が提供するＴＩＰ信号とＲＩＮＧ信号を入れ替えて、電話ポート４０側のＦＡＸ電話機１８に提供するためのリレーである。これは、上述したピン収容の一致を保証するための入れ替えである。当該リレー３９はＣＰＵから制御信号（ＴＩＰ−ＲＩＮＧ信号）の供給を受けると動作する。
【００３９】
以下、上記のような構成を有する本実施形態の動作について説明する。
【００４０】
（Ａ−２）実施形態の動作
図１において、通常状態にあるとき、前記リレー３８は内部ＳＬＩＣ部４２側を選択しているため、ケーブル１４経由で電話ポート４０に接続されたＦＡＸ電話機１８は、内部ＳＬＩＣ部４２が提供するＢＯＲＳＣＨを利用している。
【００４１】
このとき、ＦＡＸ電話機１８を利用するユーザＵ１は、前記ＣＯＤＥＣ部３６の機能を利用してＶｏＩＰ通信を行うことができる。
【００４２】
この通常状態において、ユーザＵ１がＦＡＸ電話機１８をダイヤルして指定した着信先の電話番号が例えば１１０番や１１９番などである場合（緊急通報のケース）や、停電によって、内部ＳＬＩＣ部４２、ＣＯＤＥＣ部３６などに電力を供給できなくなった場合に、非常状態に移行する。
【００４３】
非常状態では、当該ゲートウエイ装置３０のＣＰＵが前記ＥＭＧ信号を供給してリレー３８を動作させ、電話ポート４０側のＦＡＸ電話機１８を加入電話網１１側のＳＬＩＣに直結させる（このときリレー３８は図１に図示した状態となる）。非常状態では、ＶｏＩＰ通信を行うことはできないものの、加入電話網１１を経由して通常の電話やＦＡＸの通信を行うことができる。
【００４４】
前記ＣＰＵは、緊急通報の終了や停電の終了を検知するとき、前記給電極性検出部３３から、前記ＲＥＶ信号またはＮＯＲ信号のいずれが供給されるかを監視する。
【００４５】
ＲＥＶ信号のほうが、上述したピン収容が一致しないケースに対応し、ＮＯＲ信号のほうが一致するケースに対応するものとすると、ＣＰＵは、ＮＯＲ信号の供給を受けた場合にはリレー３９に現在の状態を維持させ、ＲＥＶ信号の供給を受けた場合には、ＴＩＰ−ＲＩＮＧ信号を送信してリレー３９を切り替えさせることにより、ピン収容の一致を保証する。
【００４６】
つづいて当該ＣＰＵは、リレー３８を復帰させて通常状態に戻す。
【００４７】
すでにピン収容の一致は保証されているため、リレー３８の復帰によって図５（Ｂ）に示すような極性反転信号ＲＢ２が発生することがない。したがって、電話ポート４０側に接続されているＦＡＸ電話機１８が、従来のように、着信していないにもかかわらず、ディスプレイ表示に、「受信中」や「着信」などと表示したり、受信モードになったりする誤動作が発生することはなくなる。
【００４８】
（Ａ−３）実施形態の効果
以上のように、本実施形態によれば、ピン収容が一致しないことに起因する誤動作が生じず、通信の信頼性が高まる。
【００４９】
（Ｂ）他の実施形態
上記実施形態で用いたリレーは、その他のスイッチ機能に置換できる可能性がある。
【００５０】
なお、上記実施形態では、ＦＡＸ電話機を例に説明したが、その他の通信装置でも同様な誤動作が生じる可能性がある。
【００５１】
また、本発明は、ＡＤＳＬ以外のｘＤＳＬに適用できることは当然である。
【００５２】
さらに、本発明は、上記実施形態で用いた以外の通信プロトコルに適用することができる。
【００５３】
例えば、ネットワーク層の通信プロトコルとしてＩＰプロトコルの代わりにＩＰＸプロトコルなどを用いることができる可能性がある。
【図面の簡単な説明】
【００５４】
【図１】実施形態におけるゲートウエイ装置の主要部の構成例を示す概略図である。
【図２】ＶｏＩＰ通信システムの全体構成例を示す概略図である。
【図３】発明が解決しようとする課題を説明するための概略図である。
【図４】発明が解決しようとする課題を説明するための概略図である。
【図５】発明が解決しようとする課題を説明するための概略図である。
【符号の説明】
【００５５】
１０…ＶｏＩＰ通信システム、１１…公衆電話網（加入電話網），１２…インターネット、１３…公衆アナログ回線（加入者線）、１４…ケーブル、１５，１６…ＤＳＬＡＭ、１７，３０…ゲートウエイ装置、１８…一般電話機（ＦＡＸ電話機）、３１…ラインポート、３２，４１…ＯＶＰ部、３３…給電極性検出部、３４…ＬｏｏｐＧＥＮ部、３５…ＨＹＢＴＲＮＳ部、３６…ＣＯＤＥＣ部、３７〜３９…リレー、４０…電話ポート、４２…内部ＳＬＩＣ部。
【図１】
2006279674.tif 000003
【図２】
2006279674.tif 000004
【図３】
2006279674.tif 000005
【図４】
2006279674.tif 000006
【図５】
2006279674.tif 000007